(57)【特許請求の範囲】
【請求項１】
家具壁面（１４）に着脱式に固定される金具であって、
前記家具壁面（１４）に面する取付け面と、反対側の目視面とを有した金具本体（１）と、
前記金具本体（１）に設けられた孔（７）を貫通することで前記金具本体（１）に係留されている突っ張り莢筒（２）であって、先頭部と前記家具壁面（１４）の長形孔（１５）に挿入される筒状本体部とを有しており、前記先頭部は前記突っ張り莢筒（２）の中央軸に対して放射方向に突出する少なくとも１つの葉片（９）を有して構成されている突っ張り莢筒（２）と、
前記突っ張り莢筒（２）を非ロック位置と拡張ロック位置との間で移動させるように前記突っ張り莢筒（２）内に挿入される突っ張り部品（３）であって、前記突っ張り莢筒（２）と係合させる少なくとも１つのねじ山（１３、２０）と、前記突っ張り部品（３）が前記突っ張り莢筒（２）内に挿入されたときに前記少なくとも１つの葉片（９）を前記金具本体（１）の前記目視面に押し付けるための頭部（１０）とを有して構成されている突っ張り部品（３）と、を含んでおり、
前記突っ張り莢筒（２）は、前記突っ張り莢筒（２）に対する前記突っ張り部品（３）の軸方向移動によって前記家具壁面（１４）の前記長形孔（１５）の内壁に対して押し付けられ、前記突っ張り部品（３）は前記金具が装着されるとき前記突っ張り莢筒（２）から延び出し、前記長形孔（１５）内に進入する前端を有していることを特徴とする金具。
【請求項２】
突っ張り莢筒（２）の先頭部は前記突っ張り莢筒（２）の中央軸に対して逆方向放射状に突出する２つの葉片（９）を含んでいることを特徴とする請求項１記載の金具。
【請求項３】
葉片（９）のそれぞれは突っ張り莢筒（２）の中央軸に対して傾斜しており、突っ張り部品（３）の頭部（１０）はさら頭または丸さら頭として形成されていることを特徴とする請求項１記載の金具。
【請求項４】
突っ張り莢筒（２）は前記突っ張り莢筒（２）の縦方向に延びる１本の縦通溝（４）を備えていることを特徴とする請求項１から３のいずれかに記載の金具。
【請求項５】
縦通溝（４）は突っ張り莢筒（２）の中央部において広がっていることを特徴とする請求項４記載の金具。
【請求項６】
縦通溝（４）は三角状の広がり（４’）を有していることを特徴とする請求項５記載の金具。
【請求項７】
金具本体（１）の目視面は少なくとも１つの窪み（２１）を備え、突っ張り莢筒（２）の先頭部の少なくとも１つの葉片（９）は前記少なくとも１つの窪み（２１）内に収容されていることを特徴とする請求項１から６のいずれかに記載の金具。
【請求項８】
少なくとも１つの窪み（２１）は斜面（２２）を備えており、突っ張り部品（３）が突っ張り莢筒（２）内に挿入されると前記突っ張り莢筒（２）の先頭部の少なくとも１つの葉片（９）は前記斜面（２２）に対して押し付けられることを特徴とする請求項７記載の金具。
【請求項９】
突っ張り部品（３）は第１雄ねじ山（１３）と第２雄ねじ山（２０）とを備えており、前記第２雄ねじ山（２０）は前記第１雄ねじ山（１３）とは異なるピッチを有していることを特徴とする請求項１から８のいずれかに記載の金具。
【請求項１０】
突っ張り莢筒（２）は縁（１６’）を備えた先端（１６）を有しており、前記縁（１６’）は突っ張り莢筒（２）の中央軸に対して周囲方向に走行して前記突っ張り部品（３）のねじ山（１３）と歯合することを特徴とする請求項１から９のいずれかに記載の金具。
【請求項１１】
第１ねじ山（１３）と第２ねじ山（２０）の一方のみが自動ロック式であることを特徴とする請求項９記載の金具。
【請求項１２】
突っ張り莢筒（２）は雌ねじ山（１９）を備えており、突っ張り部品（３）は前記雌ねじ山（１９）と歯合するための雄ねじ山（２０）を有していることを特徴とする請求項１から１１のいずれかに記載の金具。
【請求項１３】
金具本体（１）は１位置にて弾性的に変形でき、その変形位置で葉片（９）が金具本体（１）に対して押し付けられることを特徴とする請求項１から１２のいずれかに記載の金具。
【請求項１４】
突っ張り莢筒（２）は前記突っ張り莢筒（２）の中央軸に対して放射方向に延び、金具本体（１）の目視面に接するように設計されている張り出し腕（５）を有しており、前記それぞれの張り出し腕（５）は前記金具本体（１）の孔を貫通する屈曲端部（６）を有していることを特徴とする請求項１から１３のいずれかに記載の金具。
【請求項１５】
それぞれの張り出し腕（５）の屈曲端部（６）は金具本体（１）に鋲留めされることを特徴とする請求項１４記載の金具。
【請求項１６】
金具本体（１）の目視面は窪み（８）を有しており、突っ張り莢筒（２）の張り出し腕（５）は前記窪み（８）内に収容されることを特徴とする請求項１４または１５に記載の金具。
【請求項１７】
突っ張り部品（３）および／または突っ張り莢筒（２）は調質鋼製であることを特徴とする請求項１から１６のいずれかに記載の金具。
【請求項１８】
突っ張り部品（３）および／または突っ張り莢筒（２）は焼入れ鋼製であることを特徴とする請求項１から１７のいずれかに記載の金具。
【発明の詳細な説明】
【０００１】
【発明の属する技術分野】
本発明は、家具に密接し家具側の取付け面とその反対側の目視面とを有する好ましくは板状の金具本体と、金具本体に固定されて家具の穴に挿し込まれる少なくとも１本の突っ張り莢筒（さやつつ）と、金具の目視面から金具本体の穴を貫通して反対側に突き出た、突っ張り莢筒用の雄ねじを切った１本のピン状の突っ張り部品とから成る、家具に着脱式に取り付けるための金具に関する。
【０００２】
【発明が解決しようとする課題】
本発明の目的は、金具本体を非常に小さな孔を以って家具に確実に保持することのできる金具を提供することである。
【０００３】
【課題を解決するための手段】
本発明が目的とする課題は、突っ張り部品ならびに突っ張り莢筒のいずれもが金具本体の目視面から金具本体に設けられた穴を貫いて金具本体から突出し、前記突っ張り莢筒は少なくとも１枚、好ましくは２枚の外側に張り出した葉片を有し、前記葉片は金具が家具に固定された状態において金具本体の前記目視面に密接し、前記突っ張り部品は金具が家具に固定された状態において前記葉片を圧する頭部を有することによって解決される。
【０００４】
突っ張り部品の前記頭部が葉片を圧することにより葉片は家具方向に歪みを生じ、葉片自体は金具本体を圧する。
【０００５】
金具本体に荷重がかかると、それは葉片で、したがって突っ張り莢筒で直接に支えられる。突っ張り莢筒は家具に固定されている。葉片が設けられていなければ、金具本体はねじ様の突っ張り部品の頭部で支えられることになろう。だがこうした場合、突っ張り部品はそれを突っ張り莢筒にねじ込んでいるねじ山が自動ロック式でないことから突っ張り莢筒から容易に抜け出てしまうことになろう。金具の着脱をスピーディーに行なえるようにするにはピッチの大きなねじ山が必要である。
【０００６】
金具本体に作用する力を突っ張り莢筒に良好に伝達するため、本発明の一つの実施例において、葉片は突っ張り莢筒が挿し込まれる方向とは逆の方向に斜めに張り出し、突っ張り部品の頭部はさら頭または丸さら頭として形成されている。
【０００７】
本発明の一つの実施例において突っ張り部品はピッチの異なる２種類の雄ねじを備えており、この場合、雄ねじの一方のみは自動ロック式であるのが好適である。この種の金具において突っ張り部品は取り付けにあたってドライバーを用いて突っ張り莢筒にねじ込むことができる。
【０００８】
突っ張り莢筒は突っ張り部品のねじ山の一方と噛み合う雌ねじを有しているのが好適である。
【０００９】
金具本体、突っ張り莢筒および突っ張り部品は取付け前に一体に組み合わされることから、これらは全体として一つの部品として取り付けることができる。この場合、本発明の一つの実施例において、突っ張り部品は金具が家具に仮留めされまだ固定されていない状態において突っ張り莢筒から突き出ており、その際、突っ張り莢筒はその自由端で突っ張り部品のねじ山と噛み合っている。突っ張り部品は突っ張り莢筒に完全に押し込まれるかまたはねじ込まれて初めて家具にしっかり固定されることとなる。
【００１０】
本発明の一つの実施例において、突っ張り莢筒は張り出し腕を有し、前記腕は金具が家具に固定された状態において金具本体の目視面に密接すると共に屈曲した端部を有し、前記端部は金具本体の穴を貫いて突出している。前記の屈曲した端部は金具本体に鋲留めされるのが好適である。
【００１１】
【発明の実施の形態】
以下、本発明の実施の形態を添付図面に基づいて詳細に説明する。
図示した実施例において本発明による金具はたとえばヒンジアームのベースプレートとすることもできる板状の金具本体１と、突っ張り莢筒２とピン状の突っ張り部品３から成っている。
【００１２】
突っ張り莢筒２および／または突っ張り部品３は調質鋼製または焼入れ鋼製であるのが好ましい。さらに突っ張り莢筒２にはリン酸塩コーティング処理が行われていてよい。この場合、突っ張り莢筒２の肉厚は１ｍｍ以下、好ましくは０，７〜０，８ｍｍの厚さに保たれるのがよい。
【００１３】
図示した実施例において突っ張り莢筒２は４本の縦溝４を有し、そのうち１本の溝４は縦通溝と成されている。溝４のうちの２本は突っ張り莢筒のおおよそ中央部に三角状の広がり４’を有し、これによって突っ張り莢筒２の可撓性が向上させられる。突っ張り莢筒２は半径方向に張り出した２本の腕５を有し、該腕は屈曲した端部６を備えている。
【００１４】
金具本体１は突っ張り莢筒２を金具本体１に挿し通すための穴７を備え、さらに金具本体１はその目視面に窪み８を備え、該窪みは突っ張り莢筒２が取り付けられた状態において突っ張り莢筒２の腕５を収容する。窪み８の末端にはスリットが設けられており、腕５の屈曲した端部６は該スリットを貫いて突出する。突っ張り莢筒２を金具本体１に挿し通した後、屈曲した端部６は鋲留めされることから、突っ張り莢筒２は金具本体１に固定される。
【００１５】
突っ張り莢筒２はさらに外側に張り出した２枚の葉片９を有し、該葉片は腕５と同様に突っ張り莢筒２の後端に配置されている。これらの葉片９は突っ張り莢筒２から斜めに張り出している。金具本体１は穴７の縁部に窪み２１を有し、該窪みは突っ張り莢筒２が取り付けられた状態において葉片９を収容する。
【００１６】
突っ張り部品３は図示した実施例において金属製ピンとして形成される。これはドライバー用――図示した実施例では十字ドライバー用――の溝１１を有する頭部１０を備えている。頭部１０はさら頭として形成されている。金具が家具に固定された状態において頭部１０は金具本体１のさら座ぐり１２に収容されて葉片９を窪み２１の斜面２２に圧し付ける結果、金具本体１が突っ張り莢筒２と連結している領域を家具壁面に圧しつけることとなる。
【００１７】
突っ張り部品３は２種類のねじ山１３，２０を備えている。
【００１８】
金具本体１が家具壁面１４に固定される前に突っ張り部品３は金具本体１に固定された突っ張り莢筒２に浅く挿し込まれて仮留めされていることから、突っ張り莢筒２の突っ張りはまだ生ずるに至っていない。そのため金具本体１、突っ張り莢筒２および突っ張り部品３から成るこのユニットは家具壁面１４に設けられた孔１５に容易に挿し込むことができる。この状況は図９に示されている。
【００１９】
金具本体１を固定するため突っ張り部品３が突っ張り莢筒２と孔１５に深くねじ込まれるとその頭部は金具本体１のさら座ぐり１２に嵌入する。その際、孔１５の内部にある突っ張り部品３の先端が突っ張り莢筒２から突き出る結果、突っ張り莢筒２の当該部分は孔１５の壁面に圧入されることとなる。
【００２０】
その際、突っ張り部品３に向かって斜め前方を向いた突っ張り莢筒２の先端部１６は突っ張り部品３のねじ山１３と噛み合うこととなる。この場合、先端部１６の縁１６’はねじ山１３のフランクに適合するように傾斜させられている。
【００２１】
金具本体１が家具壁面１４から外される場合には、突っ張り部品３はドライバーを用いて半時計回りに捻じられる。
【００２２】
突っ張り莢筒２の先端１６はねじ山１３と噛み合っていることから、突っ張り部品３は半時計回りに捻じることにより突っ張り莢筒から抜き取られる。突っ張り部品３の頭部１０が金具本体から離れるとすぐに突っ張り部品３は突っ張り莢筒２から抜き出すことができる。突っ張り部品３を押し出す力の一部はすでに突っ張り莢筒２の葉片９の残留応力によって働いている。
【００２３】
突っ張り部品３は２種類のねじ山１３，２０を備えている。その際、頭部１０とは反対側の突っ張り部品３の先端部に切られているねじ山１３は自動ロック式と成されている。これに対してねじ山２０は大きなピッチを有している。
【００２４】
突っ張り莢筒２は内面に雌ねじ１９を備え、該雌ねじは突っ張り部品３の雄ねじ２０に対応している。双方のねじ１９，  ２０のねじ山は方形断面を有している。ねじ山１９，  ２０のピッチが相対的に大きいことから、金具を家具に取り付ける際に突っ張り部品３はスピーディーに突っ張り莢筒２にねじ込むことが可能である。
【００２５】
突っ張り部品３がねじ込まれた後、突っ張り莢筒２の葉片９は窪み２１の斜面２２を圧し、同領域において金具本体１を家具壁面１４に圧し付ける。その際、金具本体１は屈曲した縁１７で家具壁面１４に対して身を支え、これによって金具本体１にプレストレスが生ずることとなる。
【図面の簡単な説明】
【図１】本発明による金具の実施例を分解して示した図である。
【図２】金具本体の取付け側を示した金具の斜視図である。
【図３】金具本体の目視面を示した金具の斜視図である。
【図４】突っ張り莢筒の側面図である。
【図５】図４の線Ａ−Ａに対応した断面図である。
【図６】それぞれ突っ張り莢筒の斜視図である。
【図７】それぞれ突っ張り莢筒の斜視図である。
【図８】金具の平面図である。
【図９】仮留めの状態にある突っ張り部品を示した、図８の線Ａ−Ａに対応した断面図である。
【図１０】図９の一部を示す図である。
【図１１】締付けられつつある突っ張り部品を示した、図８の線Ａ−Ａに対応した断面図である。
【図１２】図１１の一部を示す図である。
【図１３】図１１の一部を示す図である。
【図１４】突っ張り部品と突っ張り莢筒が家具に固定されたポジションにある状態を示した、図８の線Ａ−Ａに対応した断面図である。
【図１５】それぞれ図１４の一部を示す図である。
【図１６】それぞれ図１４の一部を示す図である。
【符号の説明】
１  金具本体
２  突っ張り莢筒
３  突っ張り部品
４  縦通溝
５  張り出し腕
６  端部
７  穴
８  窪み
９  葉片
【図１】
0004437304.tif 000002
【図２】
0004437304.tif 000003
【図３】
0004437304.tif 000004
【図４】
0004437304.tif 000005
【図５】
0004437304.tif 000006
【図６】
0004437304.tif 000007
【図７】
0004437304.tif 000008
【図８】
0004437304.tif 000009
【図９】
0004437304.tif 000010
【図１０】
0004437304.tif 000011
【図１１】
0004437304.tif 000012
【図１２】
0004437304.tif 000013
【図１３】
0004437304.tif 000014
【図１４】
0004437304.tif 000015
【図１５】
0004437304.tif 000016
【図１６】
0004437304.tif 000017